(57)【要約】【課題】周囲が明るい環境下でも確実に遮光することができ、また、簡単な操作で便利に使用することができる遮光具を提供する。【解決手段】遮光具１は、可撓性の環体１１、及び、環体１１の内側に張設された遮光幕１２を備え、遮光幕１２の周縁部又は環体１１に離隔して設けられ、互いに係止可能で係止時の長さが該離隔距離よりも短くなる２つの係止体３，４を２組備えている。環体１１は長円形状をなし、各組の２つの係止体３，４は長円の短軸Ｓに対して略線対称に配置してある。２つの係止体の一方の係止体３は、端部が遮光幕１２の周縁部に取り付けてある弾性紐３ａを備えている。２つの係止体３，４の一方は鉤状のフック３ｂを備え、他方は該フック３ｂが係止可能な輪体４ａを備えている。【選択図】図１
2010259573.tif 000002
【特許請求の範囲】
【請求項１】
可撓性の環体、及び、該環体の内側に張設された遮光幕を備えた遮光具において、
前記遮光幕の周縁部又は環体に離隔して設けられ、互いに係止可能で係止時の長さが該離隔距離よりも短くなる２つの係止体を２組備えていることを特徴とする遮光具。
【請求項２】
前記環体は長円形状をなし、
前記各組の２つの係止体は長円の短軸又は長軸に対して略線対称に配置してあることを特徴とする請求項１に記載の遮光具。
【請求項３】
前記環体は長方形状をなし、
前記各組の２つの係止体は、長方形の短辺又は長辺に平行で長方形の中心を通る直線に対して略線対称に配置してあることを特徴とする請求項１に記載の遮光具。
【請求項４】
前記２つの係止体の少なくとも一方は弾性紐を備え、該弾性紐の端部が前記遮光幕の周縁部又は環体に取り付けてあることを特徴とする請求項１から３の何れか１項に記載の遮光具。
【請求項５】
前記２つの係止体の一方は鉤状のフックを備え、他方は該フックが係止可能な輪体を備えていることを特徴とする請求項１から４の何れか１項に記載の遮光具。
【請求項６】
前記遮光幕は、前記環体の捩り又は曲げによって畳むことが可能であることを特徴とする請求項１から５の何れか１項に記載の遮光具。
【発明の詳細な説明】
【技術分野】
【０００１】
本発明は、例えば周囲が明るい環境下で睡眠中の乳幼児などのための遮光具に関する。
【背景技術】
【０００２】
本願の遮光具に関連した技術として、内側に遮光幕が張設された長円形状の可撓性の環体を乳母車に座席の前方及び側方を囲うように取り付ける日除け具が公知である（特許文献１参照）。
【先行技術文献】
【特許文献】
【０００３】
【特許文献１】特開２００８−１０５５０９号公報
【発明の概要】
【発明が解決しようとする課題】
【０００４】
乳幼児が室内のベッド等で昼寝をしているとき、あるいは夜間に部屋の中で寝ているときに、太陽光や蛍光灯の光によってまぶしくて眠りを妨げる場合がある。このような場合に、特許文献１に記載の乳母車用の日除け具は使用できないという問題があった。
【０００５】
本発明は、上述したような事情に鑑みてなされたものであり、周囲が明るい環境下でも睡眠中の乳幼児等に対して確実に遮光することができ、また、簡単な操作で便利に使用することができる遮光具を提供することを目的とする。
【課題を解決するための手段】
【０００６】
第１の発明に係る遮光具は、可撓性の環体、及び、該環体の内側に張設された遮光幕を備えた遮光具において、前記遮光幕の周縁部又は環体に離隔して設けられ、互いに係止可能で係止時の長さが該離隔距離よりも短くなる２つの係止体を２組備えていることを特徴とする。
【０００７】
第１の発明においては、可撓性の環体の内側に張設された遮光幕の周縁部又は該環体に離隔して設けてある２組の２つの係止体において各組の２つの係止体を互いに係止させると、２つの係止体の係止時の長さは遮光幕の周縁部又は環体での離隔距離よりも短くなるので、可撓性の環体及び遮光幕は各組の係止体の係止方向に逆Ｕ字状に撓む。このように撓んだ遮光具を乳幼児等が遮光幕の内側に位置するように被せることにより遮光される。
【０００８】
第２の発明に係る遮光具は、前記環体は長円形状をなし、前記各組の２つの係止体は長円の短軸又は長軸に対して略線対称に配置してあることを特徴とする。
第２の発明においては、環体がなす長円の短軸に対して略線対称に配置してある各組の２つの係止体を係止させた場合、短軸から長軸方向の反対側の略等距離にある環体及び遮光幕の箇所が引き合うので、長円形状の環体及び遮光幕は長軸方向に逆Ｕ字状にバランス良く撓む。同様に、環体がなす長円の長軸に対して略線対称に配置してある各組の２つの係止体を係止させた場合、長軸から短軸方向の反対側の略等距離にある環体及び遮光幕の箇所が引き合うので、長円形状の環体及び遮光幕は短軸方向に逆Ｕ字状にバランス良く撓む。
【０００９】
第３の発明に係る遮光具は、前記環体は長方形状をなし、前記各組の２つの係止体は、長方形の短辺又は長辺に平行で長方形の中心を通る直線に対して略線対称に配置してあることを特徴とする。
第３の発明においては、環体がなす長方形の短辺に平行で長方形の中心を通る直線に対して略線対称に配置してある各組の２つの係止体を係止させた場合、長方形の中心から長辺に平行な方向の反対側の略等距離にある環体及び遮光幕の箇所が引き合うので、長方形の環体及び遮光幕は長辺に平行な方向に逆Ｕ字状にバランス良く撓む。同様に、環体がなす長方形の長辺に平行で長方形の中心を通る直線に対して略線対称に配置してある各組の２つの係止体を係止させた場合、長方形の中心から短辺に平行な方向の反対側の略等距離にある環体及び遮光幕の箇所が引き合うので、長方形の環体及び遮光幕は短辺に平行な方向に逆Ｕ字状にバランス良く撓む。
【００１０】
第４の発明に係る遮光具は、前記２つの係止体の少なくとも一方は弾性紐を備え、該弾性紐の端部が前記遮光幕の周縁部又は環体に取り付けてあることを特徴とする。
第４の発明においては、２つの係止体を係止させる場合に、少なくとも一方の係止体に備えた、端部が遮光幕の周縁部又は環体に取り付けてある弾性紐が伸びるので、２つの係止体を容易に係止させることができる。また、係止した２つの係止体が弾性紐の張力によって遮光幕の周縁部又は環体に過大な力が加わることが抑制される。
【００１１】
第５の発明に係る遮光具は、前記２つの係止体の一方は鉤状のフックを備え、他方は該フックが係止可能な輪体を備えていることを特徴とする。
第５の発明においては、２つの係止体の一方に備えた鉤状のフックを他方の係止体に備えた輪体に係止させることにより、２つの係止体の係止を簡単に行うことができる。
【００１２】
第６の発明に係る遮光具は、前記遮光幕は、前記環体の捩り又は曲げによって畳むことが可能であることを特徴とするので、コンパクトな状態で収納することができる。
【発明の効果】
【００１３】
第１の発明に係る遮光具によれば、可撓性の環体又は環体の内側に張設された遮光幕の周縁部で離隔した２組の２つの係止体を互いに係止して撓んだ遮光幕を対象物に被せることで遮光することができる。
従って、撓んだ遮光幕の内側に乳幼児等が位置するように被せるので周囲が明るい環境下でも確実に遮光することができ、また、２組の２つの係止体同士を係止させるだけの簡単な操作で便利に使用することができる遮光具が提供される。
【００１４】
第２の発明に係る遮光具によれば、長軸又は短軸方向にバランス良く撓んだ長円形状の遮光幕を対象物に被せて遮光するので、一層適切な遮光状態が得られる遮光具が提供される。
【００１５】
第３の発明に係る遮光具によれば、長辺に平行な方向に又は短辺に平行な方向にバランス良く撓んだ長方形状の遮光幕を対象物に被せて遮光するので、一層適切な遮光状態が得られる遮光具が提供される。
【００１６】
第４の発明に係る遮光具によれば、少なくとも一方の係止体に備えた弾性紐によって、２つの係止体の係止操作が容易になり、また２つの係止体が取り付けてある遮光幕の周縁部又は環体に過大な力が加わることが抑制された遮光具が提供される。
【００１７】
第５の発明に係る遮光具によれば、一方の係止体に備えた鉤状のフックを他方の係止体に備えた輪体に係止させて、２つの係止体を係止させるので、係止操作の一層容易な遮光具が提供される。
【００１８】
第６の発明に係る遮光具によれば、環体の捩り又は曲げの簡易な操作により、コンパクトに収納することができる遮光具が提供される。
【図面の簡単な説明】
【００１９】
【図１】本発明の第１の実施形態に係る遮光具の平面図である。
【図２】図１に示す遮光具の使用状態を示す正面図である。
【図３】図１に示す遮光具の使用状態を示す側面図である。
【図４】図１に示す遮光具の収納手順を示す斜視図である。
【図５】図１に示す遮光具の収納状態の一例を示す斜視図である。
【図６】本発明の第２の実施形態に係る遮光具の平面図である。
【図７】図６に示す遮光具の使用状態を示す正面図である。
【図８】図６に示す遮光具の使用状態を示す側面図である。
【発明を実施するための形態】
【００２０】
以下、本発明に係る遮光具の実施の形態について、図面に基づいて説明する。
〔第１の実施形態〕
図１は、本発明の第１の実施形態に係る遮光具の平面図、図２は図１に示す遮光具の使用状態を示す正面図、図３は図１に示す遮光具の使用状態を示す側面図、図４は図１に示す遮光具の収納手順を示す斜視図、図５は図１に示す遮光具の収納状態の一例を示す斜視図である。
【００２１】
第１の実施形態に係る遮光具１は、長円形状の可撓性の環体１１と、環体１１の内側に張設された柔軟な遮光幕１２とを備える。環体１１は金属製の針金にて構成してあり、外力により捻られるか、又は折り曲げられて変形した場合に、弾性復元力によって、元の形状に復元するように付勢される。長円は長軸Ｌの両端には頂点Ｌ１，Ｌ１を有し、短軸Ｓの両端には長軸Ｌに平行な直線部分Ｓ１，Ｓ１を有している。
【００２２】
遮光幕１２はポリプロピレン製のメッシュ部材を用いており、長円形状のメッシュ部材の周縁を１８０°折り返し、折り返した周縁の内側に環体１１を配し、更に折り返した周縁とメッシュ部材との重なり部分をバイアステープで被覆した状態で縫着してある。遮光幕１２は、メッシュ部材を用いているため、入射光の一部を吸収、又は反射し、残部を透光する半透光幕であり、また、通気性を有し、音声を伝達可能である。なお、遮光幕１２は、入射光を略完全に遮光する不透光幕でも良い。
【００２３】
遮光幕１２の周縁部（環体１１を配した部分）には、互いに係止可能で離隔配置された２つの係止体３，４の組を２組備えている。各係止体３，４は、短軸側の直線部分Ｓ１の端部と長軸側の頂点Ｌ１との間の遮光幕１２の周縁部箇所に取り付けてあり、各組の２つの係止体３，４の取付箇所は、長円の短軸Ｓに対して略線対称位置にある。
【００２４】
２つの係止体３，４の一方の係止体３は、遮光幕１２の周縁部に一端を縫い付けた弾性紐３ａを備え、弾性紐３ａの他端（先端）に鉤状のフック３ｂを備えている。弾性紐３ａは１本の扁平なゴム紐の両端を遮光幕１２の周縁部に縫い付けて輪状になし、該輪状の弾性紐３ａの先端にフック３ｂの基端部を支持している。他方の係止体４は、弾性を有しない１本の紐の両端を遮光幕１２の周縁部に縫い付けて、先端部に前記フック３ｂが係止可能な輪体４ａを形成している。係止体４の途中箇所には、２本の紐を挿通させる孔と、挿通された紐を押圧して固定した固定状態及び非固定状態に切り替える固定部とを有して輪体４ａの大きさを調整するための調整部４ｂが配されている。
【００２５】
次に、遮光具１の使用について説明する。
使用者は、広げた状態の遮光具１で短軸Ｓに対して略線対称位置にある各組の２つの係止体３，４の一方の係止体３のフック３ｂを手で掴んで引っ張って弾性紐３ａを伸ばし、他方の係止体４の輪体４ａにフック３ｂを引っ掛けて係止させる。この係止状態では、２つの係止体３，４の長さＫは各係止体３，４を遮光幕１２の周縁部に縫い付けた箇所間の直線距離Ｍ（図１）より短いので、図２に示すように、遮光具１は係止体３，４を内側にして逆Ｕ字状に撓み、この逆Ｕ字状の内部空間に乳幼児が位置するように遮光具１を被せて遮光する。遮光幕１２は半透光幕であるため、図３に示すように、内部の乳幼児の状況を遮光具１を通して容易に視認することができる。
【００２６】
次に、遮光具１の収納手順について説明する。
図４に示すように、使用者が遮光具１の長手方向両端部を把持して、環体１１を手動で捻った場合、環体１１の捻りによって、遮光幕１２も捻られて撓み、使用者が、捻られた環体１１の長手方向両端部を重ねることによって、遮光幕１２も畳まれ、図５に示すように折り畳まれる。また、折り畳まれただけの状態の遮光具１は、外力が加えられなくなった場合（例えば使用者が手を離した場合）に自動的に元の形状に広がる。
【００２７】
遮光具１を畳んだ後、使用者が、フック３ｂを折り畳まれて重なった遮光具１の反対側に位置する遮光幕１２の周縁部（環体１１）に引っ掛けることによって、畳まれた状態の遮光具１が不要に広がることを防止し、収納状態が維持できる。
【００２８】
以上のようにして折り畳まれた遮光具１は、広げられている状態よりも小型化し、使用者は、小型化した状態の遮光具１をコンパクトに収納することができる。一方、折り畳まれている遮光具１を使用する場合、使用者は、フック３ｂの引っ掛けを解除することにより、遮光具１は、環体１１の弾性復元力によって、自動的に元の形状に広がる。なお、環体１１を捻らず、折り曲げることによって遮光具１を畳む構成も可能である。
【００２９】
〔第２の実施形態〕
図６は、本発明の第２の実施形態に係る遮光具の平面図、図７は図６に示す遮光具の使用状態を示す正面図、図８は図６に示す遮光具の使用状態を示す側面図である。
【００３０】
第２の実施形態の遮光具２は、環体２１及び環体２１の内側に張設された遮光幕２２が長方形であり、各組の２つの係止体３，４は、長方形の遮光幕２２の短辺に取り付けてあり、２つの係止体３，４の取付箇所は、長方形の短辺に平行で長方形の中心Ｏを通る直線Ｔに対して略線対称位置にある点を除いて、第１の実施形態の遮光具１と同様である。
【００３１】
次に、遮光具２の使用について説明する。
使用者は、広げた状態の遮光具２で短辺に平行で長方形の中心Ｏを通る直線Ｔに対して略線対称位置にある各組の２つの係止体３，４の一方の係止体３のフック３ｂを手で掴んで引っ張って弾性紐３ａを伸ばし、他方の係止体４の輪体４ａにフック３ｂを引っ掛けて係止させる。この係止状態では、２つの係止体３，４の長さＫは各係止体３，４を遮光幕２２の周縁部に縫い付けた箇所間の直線距離Ｎ（図６）より短いので、図７に示すように、遮光具２は係止体３，４を内側にして逆Ｕ字状に撓み、この逆Ｕ字状の内部空間に乳幼児が位置するように遮光具２を被せて遮光する。
【００３２】
遮光具２の収納については、折り畳んだときの形状が異なる点を除いて第１の実施形態の遮光具１と同様であり（図４、図５参照）、環体２１を手動で捻って、遮光幕２２を畳むことができ、また、折り畳まれた状態の遮光具２に外力が加えられなくすることにより、元の形状に広げることができる。
【００３３】
第１の実施形態では、各組の２つの係止体３，４の取付箇所を長円の短軸Ｓに対して略線対称位置にしたが、長円の長軸Ｌに対して略線対称位置に配置してもよい。
【００３４】
第２の実施形態では、各組の２つの係止体３，４の取付箇所を長方形の短辺に平行で長方形の中心Ｏを通る直線Ｔに対して略線対称位置にしたが、長方形の長辺に平行で長方形の中心Ｏを通る直線Ｃに対して略線対称位置に配置してもよい。
【符号の説明】
【００３５】
１    遮光具
１１  環体
１２  遮光幕
２    遮光具
２１  環体
２２  遮光幕
３    係止体
３ａ  弾性紐
３ｂ  フック
４    係止体
４ａ  輪体 
【図１】
2010259573.tif 000003
【図２】
2010259573.tif 000004
【図３】
2010259573.tif 000005
【図４】
2010259573.tif 000006
【図５】
2010259573.tif 000007
【図６】
2010259573.tif 000008
【図７】
2010259573.tif 000009
【図８】
2010259573.tif 000010